(57)【要約】【課題】様々な環状身体部分に適合するように又は例えば指輪、ネックレス、ブローチ、飾りピン、及びブレスレット又はアンクレットなどの装飾のために互いに拡大することができる複数の要素を有する身体又は衣服を飾る宝飾品を提供する。【解決手段】側壁に少なくとも１つの孔を備えた１つ又はそれよりも多くの中空コアセグメントと、可撓性連結具によって形成された１つ又はそれよりも多くのセグメントに相互結合した任意的な要素とを含む、任意的に１つ又はそれよりも多くの宝石を備えた宝飾品物品。セグメントは、宝石を受けるためのロッドを備えた台を含むことができる。セグメント及び任意的な要素は、好ましくは、指輪及びネックレスなどを形成するための環状アレイの形であり、同じか又は異なる構成のものとすることができる。セグメントはまた、異なる弓形周方向長さ及び好ましくは円錐台の断面形状を有することができ、指輪又はネックレス及び同様な外周物品のような物品の一部分のみを含む場合がある。連結具は、１つのセグメント又は要素に固定されたピンによって形成され、このピンは、孔を通過して隣接する当接セグメントの中空内に入る。コイル圧縮バネが、セグメントの中空コア内でピンに捕捉され、隣接する構成要素を一緒に強く押している。バネ及びピンは、通常は当接している構成要素を互いに対して弾力的に移動させ、ピンの長さに沿う相対的な拡大を可能にする。セグメントのアレイ内のピンは、指輪タイプ物品の中央平面に関してオフセットされ、宝石がコア内に深く着座することを可能にする。【選択図】図４
2007512920.tif 000002
【特許請求の範囲】
【請求項１】
宝飾品物品のための可撓性連結具であって、
宝飾品物品の少なくとも一部分を形成するための審美的に快い宝飾品要素及び環状壁を有する隣接する審美的に快い宝飾品セグメント、
を含み、
前記セグメントは、中空内部領域を有し、前記環状壁は、該内部領域に連通した孔が通過する側壁を形成し、
前記要素に固定されてそこから外向きに延び、前記孔を通過して前記セグメントの前記中空内部領域内に入る第１の細長い部材と、
前記セグメント及び要素を互いから離れるように弾力的に移動させながら該セグメントを該要素に向けて弾力的に強く押すための、該セグメントの前記中空領域内で前記細長い部材に固定されたバネと、
を更に含むことを特徴とする連結具。
【請求項２】
前記セグメントは、宝石を受け取るように配置されていることを特徴とする請求項１に記載の連結具。
【請求項３】
前記セグメントは、そこに装飾的印しを受け入れるように配置されていることを特徴とする請求項１に記載の連結具。
【請求項４】
前記セグメントは、前記中空領域内に前記孔が通過する拡大された突起を有することを特徴とする請求項１に記載の連結具。
【請求項５】
前記細長い部材は、前記セグメント及び要素の互いに対する横方向の揺れを実質的に排除するために前記孔内に密接に受け取られることを特徴とする請求項１に記載の連結具。
【請求項６】
前記細長い部材は、前記孔における軸線を形成し、前記セグメントにおける前記中空領域は、２つの反対方向の少なくとも一方において該軸線に対して横方向に雰囲気に対して開放されていることを特徴とする請求項１に記載の連結具。
【請求項７】
前記セグメントは、宝石受け台として形成されていることを特徴とする請求項１に記載の連結具。
【請求項８】
前記セグメント及び要素は、平面内にある円形軸線上の複数のセグメントの環状アレイとして配置され、前記細長い部材は、該平面に対して横方向に該軸線からオフセットされていることを特徴とする請求項１に記載の連結具。
【請求項９】
前記平面の前記第１の細長い部材とは反対の側に前記軸線からオフセットされた第２の細長い部材を含むことを特徴とする請求項８に記載の連結具。
【請求項１０】
前記第１及び第２の細長い部材は、前記環状アレイの周りに延びる方向に交互していることを特徴とする請求項９に記載の連結具。
【請求項１１】
前記細長い部材は、各端部に拡大したヘッドを備えたピンであることを特徴とする請求項１に記載の連結具。
【請求項１２】
前記細長い部材は、一端にヘッド及び他端にナットを備えたネジ付きスタッドであり、該ヘッド及びナットは、前記隣接する要素及びセグメントに該部材を捕捉するためのものであることを特徴とする請求項１に記載の連結具。
【請求項１３】
前記要素及びセグメントは、同一であることを特徴とする請求項１に記載の連結具。
【請求項１４】
前記細長い部材は、各端部に横孔を有し、該細長い部材を前記中空領域で前記セグメントのうちの１つに捕捉するためのファスナを該横孔に含むことを特徴とする請求項１に記載の連結具。
【請求項１５】
複数の前記セグメント及び平面内で整列した複数の前記第１の細長い部材を含むことを特徴とする請求項１に記載の連結具。
【請求項１６】
前記要素は、セグメントであり、該セグメントの各々は、中空コアが前記中空領域を形成したほぼ環状形であることを特徴とする請求項１に記載の連結具。
【請求項１７】
前記要素は、セグメントであり、複数の同一セグメントを更に含むことを特徴とする請求項１に記載の連結具。
【請求項１８】
少なくとも１つの細長い更に別のセグメントを含み、
前記中空領域は、前記少なくとも１つの更に別のセグメントの端部において該更に別のセグメントの比較的小さな部分に位置している、
ことを特徴とする請求項１に記載の連結具。
【請求項１９】
前記要素及びセグメントの互いに対する横方向の揺れを最小にする構成を含むことを特徴とする請求項１に記載の連結具。
【請求項２０】
前記バネは、該バネを前記細長い要素に捕捉するために前記ピンの孔に挿入された端部部分を有することを特徴とする請求項１に記載の連結具。
【請求項２１】
前記細長い部材は、前記要素に固定されたピンであり、前記セグメントに対して移動可能であることを特徴とする請求項１に記載の連結具。
【請求項２２】
前記要素及び前記セグメントの各々は、孔及び中空領域を有し、次の隣接する要素及びセグメントの該孔は、互いに整列して互いに隣接しており、前記第１の細長い部材は、該整列した隣接する孔を通過して該中空領域内に入ることを特徴とする請求項１に記載の連結具。
【請求項２４】
前記物品は、指輪、ブレスレット、アンクレット、ネックレス、及びブローチのうちのいずれか１つであることを特徴とする請求項１に記載の連結具。
【請求項２５】
前記要素は、セグメントであり、
前記セグメントの環状アレイ、
を更に含むことを特徴とする請求項１に記載の連結具。
【請求項２６】
各反対側に孔を有する環状壁によって形成された中空コアを有する複数のセグメントの宝飾品セグメントのアレイと、
２つの隣接するセグメントの各々の前記孔において各セグメントの前記中空コア内に延びて該コア内のピン端部で終端するピンと、
前記２つの隣接するセグメントのうちの第１のものの少なくともコアにおける前記ピン上のバネと、
第１のピン端部において前記バネを前記ピン及び前記第１のセグメントコアに捕捉し、第２のピン端部において該ピンを前記２つの隣接するセグメントの他方に固定するための構成と、
を含むことを特徴とする宝飾品物品。
【請求項２７】
前記セグメントは、平面を形成し、前記反対側上の前記孔は、該平面に対して横方向に互いに対してオフセットされていることを特徴とする請求項２６に記載の物品。
【請求項２８】
前記２つの隣接するセグメントの各々の前記コアにおける前記ピン上のバネを含むことを特徴とする請求項２６に記載の物品。
【請求項２９】
同じか又は異なる長さの前記セグメントが該長さを有する方向に延びていることを特徴とする請求項２６に記載の物品。
【請求項３０】
前記ピンは、弓形の屈曲部を有することを特徴とする請求項２６に記載の物品。
【請求項３１】
前記ピンは、長さとその長さに沿う一様な断面とを有することを特徴とする請求項２６に記載の物品。
【請求項３２】
前記ピン及び孔は、前記セグメントの互いに対する横方向の揺れを最小にするように配置されていることを特徴とする請求項２６に記載の物品。
【請求項３３】
前記セグメントは、環状であることを特徴とする請求項２６に記載の物品。
【請求項３４】
前記セグメントは、実質的に同一であることを特徴とする請求項２６に記載の物品。
【請求項３５】
ネックレス、ブレスレット、アンクレット、指輪、及びブローチのうちのいずれか１つであることを特徴とする請求項２６に記載の物品。
【請求項３６】
宝飾品物品を製造する方法であって、
ウェブ領域で互いに当接して単体の剛性一体ユニットを形成する複数の隣接するセグメントを形成する段階と、
前記セグメントを分離する段階と、
次に前記別々のセグメントを互いに隣接して弾力的に取付けて、それらを宝飾品物品に形成する段階と、
を含むことを特徴とする方法。
【請求項３７】
前記隣接するセグメントを形成する段階は、前記複数のセグメントを鋳造する段階を含むことを特徴とする請求項３６に記載の方法。
【請求項３８】
前記鋳造する段階は、宝飾品金属組成物の前記単体一体ユニットを鋳造する段階を含むことを特徴とする請求項３６に記載の方法。
【請求項３９】
前記セグメントのうちの少なくとも１つと共に複数のロッドを形成して、該少なくとも１つのセグメントと共に宝石台を形成する段階を含むことを特徴とする請求項３６に記載の方法。
【請求項４０】
前記セグメントのうちの少なくとも１つは、中空コアを有することを特徴とする請求項３６に記載の方法。
【請求項４１】
前記セグメントの大多数は、中空コアを有することを特徴とする請求項３６に記載の方法。
【請求項４３】
前記セグメントは、同一であり、各々が中空コアを有することを特徴とする請求項３６に記載の方法。
【請求項４４】
宝飾品物品のための可撓性連結具であって、
宝飾品物品の少なくとも一部分を形成するための、審美的に快い宝飾品要素、及び中空内部領域と該内部領域に連通した孔が通過する側壁とを有する隣接する審美的に快い宝飾品セグメントと、
前記要素に固く又は弾力的に固定されてそこから外向きに延びるものであり、前記孔を通過して前記セグメントの前記中空内部領域内に入る第１の細長い部材と、
前記セグメント及び要素を互いから離れるように弾力的に移動させながら該セグメントを該要素に向けて弾力的に強く押すための、該セグメントの前記中空領域内で前記細長い部材に固定されたバネと、
を含むことを特徴とする連結具。
【請求項４５】
審美的に快い宝飾品物品を製造する方法であって、
ＣＡＤ／ＣＡＭ金型形成工程を使用して、要素の少なくとも１つが一体的なモノリシック宝石台ロッドを備えた成形単体中空コア部材である複数の要素を形成する段階と、
各要素が更に別の要素に隣接して宝飾品物品を形成するように前記複数の要素を互いに弾力的に固定する段階と、
を含むことを特徴とする方法。
【請求項４６】
前記ＣＡＤ／ＣＡＭ型形成工程は、ＣＡＤ／ＣＡＭ機械加工されたポジティブ型からネガティブ型を準備する段階と、該ネガティブ型にワックスを充填する段階と、該ワックスを除去する段階と、該ネガティブ型のポジティブワックス複製品を成形する段階と、該ポジティブワックス複製品を用いて完成型を形成し、次に該完成型から貴金属指輪セグメントアセンブリを形成する段階とを含み、
前記セグメントアセンブリは、単体成形のモノリシックに取付けられた宝石台ロッドを備えたセグメントを含む、
ことを特徴とする請求項４５に記載の方法。
【請求項４７】
請求項４５に記載の方法で製造された審美的に快い宝飾品物品。
【発明の詳細な説明】
【技術分野】
【０００１】
本出願は、本明細書においてその全内容が援用されている「宝飾品のための可撓性連結具及び製造方法」という名称の２００３年１１月４日出願の米国特許仮出願出願番号第６０／５２６，８２８号、及び「宝飾品のための可撓性連結具及び製造方法」という名称の２００４年１１月１０日出願の出願番号第６０／６２６，７７４号の特別の利益を請求するものである。
【０００２】
本発明は、宝飾品に関し、より具体的には、様々な環状身体部分に適合するように、又は、例えば、指輪、ネックレス、ブローチ、飾りピン、及びブレスレット又はアンクレットなどの装飾のために互いに拡大することができる複数の要素を有する身体又は衣服を飾る宝飾品に関する。
【背景技術】
【０００３】
一般的に、指輪、チョーカー、ブレスレット、及びアンクレットなどに関する問題点は、そのような物品が、実際には周方向に比較的固定された１つの寸法に形成され、従って、例えば指、首、手首、又は足首のような１つのサイズの環状身体部分だけに適合するということである。しかし、そのような身体部分は、様々な要因により時間が経つとサイズが変化しがちであり、又は人によってかなり大きく異なっている。個人が、ある宝飾品の品目を特に好む場合があっても、それがその人の首、指、及び手首などに対して小さすぎて使用できない場合がある。異なるサイズのチョーカー、ブレスレット、アンクレット、及び指輪などのような宝飾品物品を在庫することは、商人に対して非常に経費がそのようなことであり、そのような宝飾品は、ただ１つで又は限られたサイズ範囲で入手可能である場合が多い。
【０００４】
指に関して言えば、指関節は、一般的に中間部分よりも大きい。拡大した関節部のために、指輪を取り付けた状態でそれを指から抜き取るのは多くの場合に困難である。指輪に関するこの問題に対して、従来技術は、いくつかの解決策を提供しているが、いずれも以下に説明するように満足できるものではない。手首に関して言えば、ブレスレットが小さすぎる場合には、その人には使用できない。これは、首の周りに緊密に適合する傾向があるチョーカーの場合も同様である。従って、本来ならそのような宝飾品物品を買うであろうが、サイズの適合性の問題で購入しない人が多い。また、そのような物品が可撓性で拡大可能であると、そのような外観がその物品の価値を下げる場合があるのでそのように見えないことが望ましい。人は、精緻で高価な宝飾品を目に見える連結具と結びつけることを好まないであろう。
【０００５】
米国特許第６６８号は、指輪サイズを拡大させる連結装置を備えた指輪を開示している。宝石を連結具上に置くことができ、又は指輪は飾り無しでもよい。連結具は、一連の対称的に相互結合された４つの棒リンクとして構成されている。この連結具は、外部から見え、従って指輪の外観を損ねる。また、そのような連結具は、場合によっては人の身を挟むこともある。
【０００６】
米国特許第１，０７９，４８９号は、ロッド拡大ヘッド区域において比較的拡大された正方形断面連結具にピボット式に取り付けられた湾曲ロッドを含む拡大可能な指輪を開示している。この連結具は、拡大された基部区域に対してピボット回転する。基部区域は、約１２０°にわたって拡大する結合部分に対してピボット回転する。ロッドの他端は、ヘッド区域にバネを捕捉するラグを受け取る。２組のそのような区域は、指輪の装飾要素の各反対側に位置している。これらの区域は、指輪の周囲の約２５％を占める。ロッドと正方形連結具は、指輪区域の中空部分の内部に置かれ、この中空部分は、指輪中心に関して指輪の約２５％にわたって延びている。多くのピボットと複合的な形状が必要である。指輪区域は、指輪が指の拡大部分に上を通されて指のより細い部分の上で戻される時に分離する。指輪は、宝石を受け取るように構成されていない、製作及び組立てコストの高い多くの異なる区域によって形成されている。
【０００７】
米国特許第１，０１８，６６３号は、内側連結具を間に挟んだ外側連結具を含む拡大可能な指輪を開示している。連結具の全ては、細長くて弓形である。内側連結具は、弓形スロットを有する。２本のピンが外側連結具に取り付けられ、２つの外側連結具間の間隔にわたって延びている。これらのピンは、内側連結具のスロットを通過している。バネは、各ピンと内側連結具スロットの端部との間の内側連結具スロット内にある。従って、外側連結具は、弾力的に移動して離れることができ、この場合、内側連結具スロット内のピンは、指輪が拡大する時にそれらのそれぞれのバネを圧縮するように移動する。これらの連結具は、宝石を受け取るようには構成されていない。外側連結具は、そのような外観を有するので指輪の視覚的外観を損ねる。この構造はまた、多くの構成要素を有し、実施コストが高い。
【０００８】
米国特許第２，９０２，７４９号は、全ての区域を通した細長いバネによって互いに連結された複数の複合区域を含む拡大可能な指輪を開示している。これらの区域は、次の隣接する区域内のスロットに摺動可能かつピボット式に係合するピンを有する。これらの区域は、Ｈ字形状であり、中央案内部材が、バネを受け取るための孔と、次の区域のスロットと係合するためのこのＨの各脚の端部において内向きに延びるピンとを有し、これらの区域は、環状アレイ状に交互している。これらの次の区域は、プレート及びプレートと共にスロットを形成する離間した弾性顎部と、バネを受け取るための細長い孔を備えた中央本体とを有する。これもまた複雑でコスト高の構成である。従って、上述の特許は、設計上限られた柔軟性を有するか又は比較的見映えもよくないコスト高で複雑な構造を開示している。
【０００９】
本発明者は、比較的廉価で可撓性の宝飾品連結装置を提供し、かつ宝飾品物品の視覚的外観を損なわない宝飾品セグメントも提供することを含むこれらの問題に対する解決法の必要性を認めている。
【００１０】
【特許文献１】米国特許第１，０７９，４８９号
【特許文献２】米国特許第１，０１８，６６３号
【特許文献３】米国特許第２，９０２，７４９号
【特許文献４】米国特許第６，０７１，４７１号
【発明の開示】
【００１１】
本発明による宝飾品物品のための可撓性連結具は、物品の少なくとも一部分を形成するための審美的に快い宝飾品要素と環状壁を有する隣接する審美的に快い宝飾品セグメントとを含み、このセグメントは、中空内部領域を有し、環状壁は、内部領域に連通する孔が通った側壁を形成する。第１の細長い部材が、要素に対して固定されて要素から外向きに延び、孔を通過してセグメントの中空内部領域に入り、セグメント及び要素を互いに離れるように弾力的に移動させながらセグメントを要素に向けて弾力的に強く押すための、セグメントの中空領域で細長い部材に固定されたバネを含む。
【００１２】
１つの態様では、セグメントは、宝石を受け取るように配置されている。
更に別の態様では、セグメントは、そこに装飾的な印しを受け取るように配置されている。
更に別の態様では、セグメントは、孔が通過する拡大された突起を中空領域に有する。
更に別の態様では、細長い部材は、セグメント及び要素の互いに対する横方向の揺れを実質的に排除するように孔内に密接に受け取られる。
【００１３】
更に別の態様では、細長い部材は、孔における軸線を形成し、セグメントの中空領域は、２つの相対する方向に軸線に対して横向きの方向に雰囲気に対して開かれている。
更に別の態様では、セグメントは、宝石受け台として形成される。
更に別の態様では、セグメント及び要素は、平面内にある円形軸線上の複数のセグメントの環状アレイとして配置され、細長い部材は、その平面を横断する方向に軸線からオフセットされている。
更に別の態様では、第２の細長い部材が、平面の第１の細長い部材と反対の側に軸線からオフセットされて含まれる。
【００１４】
更に別の態様では、第１及び第２の細長い部材は、環状アレイの周りに延びる方向に交互している。
更に別の態様では、細長い部材は、各端に拡大ヘッドを備えたピンである。
更に別の態様では、細長い部材は、一端にヘッド及び他端にナットを備えたネジ付きスタッドであり、ヘッド及びナットは、隣接する要素及びセグメントに部材を捕捉するためのものである。
更に別の態様では、要素とセグメントは同一である。
【００１５】
更に別の態様では、細長い部材は、各端に横孔を有し、細長い部材を中空領域内のセグメントの１つに捕捉するためのファスナを横孔に含む。
更に別の態様では、複数のセグメント及び平面内に整列した複数の第１の細長い部材が含まれる。
更に別の態様では、物品は、指輪、ブレスレット、アンクレット、ネックレス、及びブローチのうちのいずれか１つである。
更に別の態様では、要素は、セグメントであり、セグメントの各々は、中空コアが中空領域を形成したほぼ環状形である。
【００１６】
本発明により宝飾品物品を製造する方法は、ウェブ領域において互いに当接して単体の剛性一体ユニットを形成する複数の隣接するセグメントを形成する段階と、セグメントを分離する段階と、次に互いに隣接する別々のセグメントを弾力的に取り付けてそれらを宝飾品物品に形成する段階とを含む。
【００１７】
更に別の態様では、隣接するセグメントを形成する段階は、複数のセグメントを鋳造する段階を含む。
更に別の態様では、鋳造段階は、宝飾品金属組成物の単体の一体ユニットを鋳造する段階を含む。
更に別の態様では、本方法は、セグメントのうちの少なくとも１つで複数のロッドを形成し、この少なくとも１つのセグメントを用いて宝石台を形成する段階を含む。
更に別の態様では、セグメントのうちの少なくとも１つは、中空コアを有する。好ましくは、更に別の態様では、大多数のセグメントは、中空コアを有する。更に別の態様では、セグメントは、同一であり、各々が中空コアを有する。
【００１８】
更に別の態様では、宝飾品物品のための可撓性連結具は、物品の少なくとも一部分を形成するための審美的に快い宝飾品要素と隣接する審美的に快い宝飾品セグメントとを含み、セグメントは、中空内部領域と、内部領域に連通する孔が通過する側壁とを有する。第１の細長い部材は、要素に対して固く又は弾力的に固定されて要素から外向きに延びるものであり、この細長い部材は、孔を通過してセグメントの中空内部領域に入る。バネが、セグメント及び要素を互いに離れるように弾力的に移動させながらセグメントを要素に向けて弾力的に強く押すために、セグメントの中空領域内で細長い部材に固定される。
【００１９】
更に別の態様では、審美的に快い宝飾品物品を製造する方法は、複数の要素を形成する段階を含み、要素の少なくとも１つは、ＣＡＤ／ＣＡＭ金属型形成工程を使用しかつ複数の要素を互いに弾力的に固定した一体的モノリシック宝石台ロッドを備えた成形単体中空コア部材であり、各要素は、更に別の要素と隣接して物品を形成する。
【発明を実施するための最良の形態】
【００２０】
定義
固定−本明細書において使用される「固定」という用語は、取り付けることにより固定的に又は固く固定又は堅牢にすること又は可動的に取り付けることを意味する。
ピン−ものを互いに固定し、支持し、又は保持するために使用される木材、金属、プラスチック、又は他の硬い材料などで作られたあらゆる長さの円筒形又はあらゆる他の断面構成の伸長した細い部材である。
【００２１】
宝飾品−コーティングの有無に関わらず、及び／又は宝石又は半宝石の有無に関わらず、装飾的な美術的作業の有無に関わらず人を魅きつける外面仕上げを有し、装飾のために使用される金、銀、プラチナ、又は他の貴金属、又は基材の物品。
要素−宝飾品物品の一部分として形成され、セグメントを含む場合がある宝飾品部材。
セグメント−中空コアを有し、細長い部材及びバネにより次の隣接部材に弾力的に取り付けられた宝飾品物品の個別ユニット。
【００２２】
図１及び２において、例示的な第１の実施形態における宝飾品指輪２は、中空コアを備えた複数の環状セグメント４を有し、これらのセグメントは、好ましくはほぼ円錐台であり、それらの通常の静止位置においては、互いに当接した関係で指輪の周りで延びている。この例においては、各セグメントは、中空コアを備えた円錐台形状円筒体であり、この実施形態では、好ましくは、ほぼ同じ直径、高さ、及び厚さ寸法を有し、セグメントの外面に半田付け又は溶接された同一のロッド５を備えた宝石台として形成されている。中空コア付きセグメントとロッド５は、ダイヤモンド６又は他の宝石又は装飾的な石を受け取る。これらの宝石は、同じものとしてもよく、異なるものとしてもよい。代替的に、エナメル質表面のような装飾的印し又は他の美術工芸品（図示せず）を各セグメント４に取り付けるか、又は各セグメント４と一体的に形成することができる。更には、セグメントは、全体的に地金のみであるか、又はそれらの外側領域上で宝石又は他の美術工芸品と組合せてもよい。この理由により、ロッドの使用も任意的である。この実施形態では、セグメントと宝石６は、一様な環状アレイとして固定される。つまり、審美的に快い指輪を形成するために、セグメントは同一であり、また同一の当接関係にあり、かつほぼ同じサイズである。この実施形態では、宝石６は、各セグメントの僅か上方のほぼ同じ位置に置かれる。
【００２３】
例示と説明のために図３に示す更に別の実施形態では、宝飾品指輪３は、台８及び１０、及びこれらに対応するそれぞれのセグメント４1及び４2を有する。台とセグメントは、プラチナ又はプラチナ合金のような宝飾金属で形成されるのが好ましいが、他の金属又はロジウム、ホワイトメタル、金、銀等でメッキ又はコーティングされた基材、又は、必要に応じてコーティングされた又はコーティングされない非金属基材で形成することができる。台８は、ロッド２４を含み、また台１０は、ロッド２６を含む。これらのロッドは、プラチナ合金で形成されたワイヤであるのが好ましい。この例におけるロッド２４及び２６は、それぞれのセグメント４1及び４2によって形成された指輪の外周面１２上方の異なる高さまで延びる。各セグメントとそのロッドは連携して宝石、半宝石、他の石、又は装飾要素のための台８又は１０を形成する。ロッドを除外したセグメント４1及び４2は、外側寸法及び厚さが好ましくは同一である。セグメントは、円錐台形態の円、正方形、矩形、正多角形、又はあらゆる規則的又は非規則的な多角形のようなあらゆる外周形状を有することができる。セグメント４1及び４2は、この実施形態では示すように、好ましくは環状円錐台形状円筒体又はリングである（図４）。一実施形態では、例示的なセグメント４1（図４）は、符号２２で示す方向へ等角度の広がりを有する４つの区域１４、１６、１８、及び２０を含む。各区域１４から２０は、同じ高さｈである（図３）。これらの区域とロッドは、好ましくは金属であり、また９５％プラチナ合金又は他のホワイトメタルのようなあらゆる望ましい材料、宝飾品に使用されるような公知組成の合金類、又は他の金属、プラスチック、及び合成材料のようなあらゆる他の適切な材料で作られる。好ましい組成は、例えば、本明細書において引用により組み込まれている、本出願人所有の米国特許第６，０７１，４７１号に開示されている。これらの区域は、好ましくは鋳造及び／又は機械加工され、又は作ろうとする区域に応じてあらゆる公知の技術に従って作製される。
【００２４】
台８は、それぞれ図３及び４に示すように、同一のロッド２４を備えるように形成される。台１０は、この実施形態では、それぞれ図３に示すように、ロッド２４よりも短い同一のロッド２６を備えるように形成される。台８のロッド２４は、台１０のロッドよりも背が高いから、宝石６は、指輪の外周面１２の周りで異なる高さにある。これは任意的であり、例えば図１及び５に示すように、全ての台の全てのロッドは、例えば同じ高さであってもよく、台８又は１０の高さ又は他のあらゆる形状は、同じとしてもよい。宝飾工芸において公知であるようなあらゆる形態を得るために、多くのタイプの宝石又は半宝石台形状を使用することができる。
【００２５】
代表的セグメント４2のロッド２６（図４）は、区域１４、１６、１８、及び２０に溶接、半田付け、ろう付け、又は接着されるか、又は区域１４、１６、１８、及び２０に対して又はそれらの間に固定され、また、任意的にこれらの区域と一体的に鋳造することができる。
【００２６】
ロッドは、好ましくは、プラチナ合金ワイヤであり、図１４から１６に関連して後に説明するように、単体鋳造物として形成されるプラチナセグメントに対して図２５から２７に関連して後に説明するようにろう付けされる。台８及び１０は、同じ金属で作られるのが好ましい。代替的に、各セグメントを形成するための１つの一体ユニットとして鋳造した後に、これを図１４から１６に関連して後に説明するように分離することができる。代替的に、ロッドと各円錐台形状セグメントを単体の台として鋳造することができる。セグメントとロッドは、好ましくは、丸み付けしたコーナを有するが、これは任意的である。台の形状も任意的であり、他の形状も使用することができる。また、地金のみの指輪には、いかなるロッドも台もないであろう。そのような地金のみの指輪においては、セグメントは、一様なサイズつまり同一のサイズであるか、又は異なる周方向の長さを有し、外側の露出面において閉じることができる。
【００２７】
セグメント４1及び４2は、図４においては円錐台形状リングとして示されているが、それらは正方形、矩形、卵形、楕円形のような他の望ましい物理形状を取ることができ、また、溝又は彫刻のような表面特徴を備えた複雑な表面、及び宝飾品において一般的に使用されているようなエナメル質の美術工芸像などを含むことができる。カメオ、フレスコ画、装飾要素などのような付加的な美術的要素もセグメントに加えることができる。このタイプの従来の地金のみの指輪においてそうであるように、セグメントは、指輪が全体として環状チューブ又はロッドに見えるように丸み付けした円筒形外面を有することができる。
【００２８】
図１４及び１５に示す代替的な実施形態では、セグメント１６２は、単一の一体的な中間段階の指輪１６０として鋳造することができる。指輪１６０は、複数の円錐台形状セグメント１６２を有するように形成され、隣接するセグメントは、ウェブ１６４により１つの単体として互いに連結される。この実施形態では、セグメントは、それぞれ同一か又は実質的に同一である。次に、セグメント１６２は、鋸又はこれと同様な工具を用いてウェブを切断することによって分離され、次に、セグメント１６２’のような審美的に快い環状の外観を提供するために切断部（図１６、領域Ｒ）において精密に仕上げられる。セグメントを分離するために、あらゆる切断工具又は技術を使用することができる。この工程は、環状リングからそのようにして切り離される全てのセグメントが、全体として可撓性の分節型指輪へと再連結することができることを保証する。
【００２９】
次に、例えば孔３０及び４０（図４）によって示すように、セグメント中空コアの中央軸線に対してオフセットさせた関係で、孔１６５（図１６）を相対する側に形成することができる。次に、これらのセグメントに宝石を受け取るための台を形成するために、４本又は必要に応じてそれよりも多いか又は少ない組のロッド１６６（図１７）がセグメントの外面にろう付けされる。
【００３０】
図２５から２７において、プラチナで形成された例えばセグメント２５０は、図１４から１７に示されてこれらの図と関連して上述したように、最初にリング状鋳造物の部分として鋳造される。次に、これらのセグメントは、上述のように分離される。この実施形態では、このリングの全てのセグメントの例示的なものであるセグメント２５０は、説明の目的で円形円筒形として示されているが、好ましくは円錐台形状である。この実施形態では、セグメント２５０は、４つの同一の半円形円筒形溝２５２の環状アレイを有するように形成されるが、これらの溝は、任意的である。これらの溝は、セグメントの外面に沿って延び、セグメント内に成形される。
【００３１】
図２５にそのうちの１本が示されている４本一組のプラチナ合金ワイヤ２５４は、溝の直径寸法に適合する直径寸法を有するように作られているので、各ワイヤは、対応する溝内に適合することになる。次に、ワイヤ２５４（図２６）は、レーザ２５６によってセグメント２５０にレーザ仮付け溶接される。レーザビーム２５８は、ワイヤ２５４をセグメントに対して一時的に固定するためにワイヤ上の望ましい位置においてワイヤを仮付け溶接する。図２７において、プラチナ材料のシム２６０は、約１１００℃の融点を有する。シム２６０は、あらゆる形状としてもよいが、板金の細長い矩形状ストリップとして示されている。シム２６０は、ワイヤ２５４をセグメント２５０にろう付けするために使用される。シム２６０は、各ワイヤ２５４とセグメント２５０の結合部に隣接して置かれる。シム２６０は、レーザ２５６によって好ましくは定位置に仮付け溶接される。
【００３２】
ワイヤ２５４とシム２６０を取り付けたセグメント２５０は、次に、図２７に示すように、溶融された時にシム材料がワイヤ２５４とセグメント２５０の間の結合部内に流入することを許す向きにしてオーブン（図示せず）内に置かれる。オーブンの内部は、約１１００℃の温度を有する。ワイヤとシムを取り付けたセグメントは、シムを溶融させるのに十分な期間オーブン内に置かれる。溶融したシムは、セグメント２５０とそれらの結合部内に流入する。このアセンブリは、オーブンから取り出されて冷却される。
【００３３】
最初に一体的な単体リングとしてセグメントを鋳造することにより、このリングから分離して得られる全てのセグメントは、完成指輪製品を形成するために適合することになることが保証される。セグメントを形成するためのこの方法は、各セグメントが区域から形成される図３の実施形態と比べて好ましいものである。図３の実施形態は、より高価であり、製造が困難であり、従ってあまり望ましくない。
【００３４】
図３及び４において、セグメントは、ただ説明の目的でセグメントを含むものとして示したが、セグメントは、上述のように１つの単体として鋳造されるのが好ましいということが以上の説明から理解される。代表的セグメント４1の区域１６は、これを貫通した孔３０を有する。セグメント４1の一方の側でこれに隣接する次のセグメント４2’は、それを貫通した孔３４を備えた区域３２を有する。区域３２は、好ましくは区域１６と当接する。孔３０及び３４は、好ましくは同一であり、互いに連続した孔を形成するために軸線４４（図４）上で軸線方向に整列する。
【００３５】
セグメント４1の反対側でこれに隣接する次のセグメント４2’’は、それを貫通した孔３８を備えた区域３６を有する。セグメント４1の区域２０は、孔３０及び３４の軸線４４と平行な軸線４２上で孔３８と軸線方向に整列した貫通孔４０を有する。軸線４２及び４４は、指輪の中央平面４６から等しく離間し、またこの中央平面に対してオフセットされているのが好ましい。区域３６は、好ましくは区域２０と当接する。孔３８及び４０は、好ましくは同一であり、互いに連続した孔を形成するために軸線方向に整列する。孔３８及び４０は、孔３０及び３４と同一である。指輪２の残りの全てのセグメントは、セグメント４1、４2’、及び４2’’の孔と同一の孔を有するように作られる。
【００３６】
ピンアセンブリ４７は、隣接セグメントの隣接区域の各対と関連付けられる。代表的なアセンブリ４７’（図３及び４）は、円形円筒形の細長い金属ピン４８を含み、これらのピンは、ロジウムメッキされた炭素鋼とすることができ、孔３０及び３４内に置かれて、セグメント４1の中空領域又はコア５０及びセグメント４2’の中空領域又はコア５２内へ延びる。図４において、ピン４８は、各端に貫通孔５４を有する。ピン４８は、平面４６をほぼ横切る方向へのセグメント４及び４’の各々に対する横方向の揺れ又は変位を最小化するために、セグメントの孔３０及び３４内に密接に受け取られる。幾らかの揺れ又は変位は存在してもよい。全てのセグメントの区域１６、２０、３２、及び３６などの壁は、ピン４８のそのような揺れ又は変位を防止するのに十分な程度の厚さである。しかし、ピン４８は、望ましくない固着を最小限に抑え、孔３０及び３４内で摺動自在である。
【００３７】
代替的に、好ましい実施形態では、ピン４８は、１つのセグメントの区域、例えばセグメント４2’内の区域３２に（又は、セグメントの外面に）溶接又は半田付けされる。ピン４８は、セグメント４1のような次の隣接セグメントに対して自由に変位することができる。ピンがセグメントのうちの１つに対して半田付け又は他の方法で固定されている場合には、そのセグメントとピンは互いに強固に固定された関係にあるから、そのセグメント内のピン上にはいかなるバネも必要とされない。ピンはまた、半田付け又は他の方法でセグメントの外面に固定することができるから、恒久的に固定されたピンのためのそのセグメント内の孔は、好ましいが任意的である。
【００３８】
一実施形態では、各反対端にヘッドを有するリベット５６（図６）、又は別の実施形態では、一端にヘッドを有して他端にナットを有するネジ付きのスタッド（図１１）が、各孔５４内に置かれる。ヘッド及び／又はナットは、ピン４８がその中に置かれている孔に比して拡大された要素である。リベット５６は、ピンをセグメントの区域１６及び３２に捕捉する拡大された要素を形成する。圧縮コイルバネ５８が、セグメント４2’のコア５２内の区域３２とリベット５６の間のピン４８上にある。バネ５８は、ロジウムメッキされた炭素鋼とすることができる。任意的であるが、同様なバネ５８が、当接している隣接セグメント４1のコア５０内の区域１６とリベット５６の間のピン４８上にある。この場合、ピンと各セグメントは、互いに移動可能な関係にある。
【００３９】
各セグメントは、隣接セグメントに対して約０．０５から０．２５ｍｍ（０．００２から０．０１インチ）だけ移動することができるのが好ましい。従って、１個の指輪内に２０から３０のセグメントがある場合には、可能な周方向への拡大に対するこのような指輪における総環状弾性遊びは、約１から７．５ｍｍ（０．０４０から約０．３０インチ）である。バネはまた、セグメントが互いに比較的強く保持され、それによってそれらを分離するために指輪の通常の使用時に生じると考えられる偶発的な軽微な力と比べて意識的な引張り力を必要とするようなバネ定数を有する。
【００４０】
同様な方式で、ピン４８は、セグメント４1’及び４のそれぞれのコア内のそれぞれの区域３６及び２０の孔３８及び４０内にある。バネ５８とリベット５６は、孔３８及び４０に関連付けられたピン４８上にある。
【００４１】
代替的に、図５ａに示すように、バネは、異なる構造のピンに固定することができる。図５ａにおいて、バネ１７０は、そのバネの縦軸線１７４に対して直角の横方向に曲げられた端部部分１７２を有する。ピン４８（図４）に対応するピン１７６は、その一端にこれを貫通した孔１７８を有する。この孔１７８は、ピン４８（図４）と同様にピン１７６がそれを貫通するセグメントの内壁面にバネ１７０を捕捉するために、そのバネ１７０の曲げられた端部部分１７２を受け取る。ピン１７６は、好ましくは、次の隣接セグメントのセグメント壁に対して半田付けもされる。ピンがセグメント壁に対して半田付けされるか又は他の方法で強固に固定される場合には、ピンは、そのセグメントに対して定位置で強固に保持され、この場合、バネはいかなる役割も果たさないので、そのセグメント内のピン上にバネはない。
【００４２】
図５ｂに示す更に別の例においては、円錐台形状のセグメント１８０及び１８２は当接している。ピン１８４は、各セグメントに連結される。ピン１８４は、半田１８８によってセグメント１８０のコア１９０内に半田付けされたヘッド１８６を有する。次の隣接セグメント１８２は、セグメント１８０に対してピン１８４の縦軸線に沿って弾力的である。ピン１８４のヘッド１８６をセグメント１８０に半田付けすることは、連結を硬直させ、従って、互いに対するセグメントは、幾らかの弾力的な側方向への遊びはあるが、側方向への揺れは最小にされる。
【００４３】
一対のピン、バネ、及びリベット（図４）は、セグメント４、４’、及び４１’に関連して上述したように、指輪２の各セグメントと関連付けられる。ピン及びこれと関係する区域の孔の軸線は、図４に示すような平面４６の各反対側において指輪の周りで交互している。従って、ピンは、平面４６の各反対側において、図に示すように２つの平行な離間した環状アレイとして整列させられる（図４のセグメントのアレイは、図解を単純化するために直線状に向けられたものとして示されているが、セグメントは、環状アレイとして配置されるということが理解される）。ピン４８は、対応するセグメントのコア内へ延び、セグメントのコア内に取り付けられる宝石６（図６）のための余地を適切に保証するために、各セグメントの下縁６２に隣接させて対応するセグメントのコア内に置かれた部分を有する。セグメントのコアは、上縁表面１２（図１２）と下縁６２において開放されている。しかし、コアは、上部で塞がれてもよく、また、任意的に底部においても塞ぐことができる。その結果、バネは、セグメントコアの内部にあって外部からは見えない。セグメントの近接した間隔により、指輪の通常の使用時には、ピンもまたセグメント間の空間内で一般的に最少限しか見えないことになる。
【００４４】
代替的に、台が各セグメントと関連付けられる代わりに、上面１２を完全に塞いで、いかなる台も形成しないことも可能である。これらの表面は、無地としてもよく、又はあらゆる種類の装飾媒体で装飾することもできる。
【００４５】
操作時には、指輪２が指（図示せず）の上を通過する時（図１）に指関節を通り越してその指上の最終位置に達するように、セグメントは、自由に分離して指輪の中央開口を広げる。更に、指輪の拡大限度内で指のサイズが時と共に増大する場合、指輪は、その場合に応じて拡大又は収縮することにより、常に指に適合することになる。セグメントは、次の隣接セグメントに対して自由に変位する。これは、上述のように指輪全体の変位をもたらすものである。
【００４６】
セグメント表面１２の上方で交互に異なる高さにある指輪３の台の代わりに、台は、図１に示すものと同じ高さであり、図５にも示す高さとすることもできる。
【００４７】
更に、図５及び８に示すように、指輪６４は、その周りで部分的に延びる複数のセグメント６６を有することができ、指輪の大きな部分７０は、任意的に単体としてもよい。セグメント７２は、宝石６８を支持することができ、セグメント６６は、従来の指輪におけるようにただ１粒の宝石６８を備えた簡素な指輪を形成するために、表面１２（図３）に対応する外周面において壁７４により完全に塞ぐことができる。セグメント６６の壁は、代わりに上述のように装飾してもよく、又はプラチナ合金又は他の金属のような素地のままのホワイトメタルとしてもよい。図５のピンアセンブリ７６は、図３及び４又は図５ｂのピンアセンブリと同一としてもよい。しかし、図に示すように、バネは、図５ａに関連して説明したように取り付けられ、この場合、バネは、ピンの縦軸線に対して直角な角度に曲げられてピン端部内の孔に貫通した端部部分を有する。この端部部分は、孔内に挿入した後、これをピンに固定するために圧着することができる。
【００４８】
図５の実施形態は、セグメント７２の中空コア７３内にその大部分が挿入されている宝石６８を示している。ピン７５は、図４の実施形態に示すピン４８のように、隣接セグメントの中空コア７３及び７３’の中心からオフセットされる。このオフセットは、ピン及びバネによって妨げられることなく、宝石がピンとピンの間でコア領域内に着座することを可能にする。点線５５で示すように、宝石は、勿論短くすることができる。台を形成するロッド５７も、これに宝石６８を固定するための分量だけセグメント７２の表面５９の僅か上方に突出するように、図示のように短縮される。図１に示す指輪２の実施形態は、宝石６８と同様に取り付けられた宝石を有するが、指輪の周りの各セグメントによって形成された各台内に宝石を備えた指輪を示している。これは、審美的に快いウエディングバンド型指輪を形成する。
【００４９】
図６及び７においては、代替的に、指輪７８は、複数対の交互に配置されたセグメント８０及び８２を含む。これらのセグメントは、図８などに関連して示したように、指輪全体又は指輪の一部を形成することができる。セグメントは、図３及び４に示す実施形態のセグメントと同一としてもよい。異なるのは、ピンアセンブリ８４が、各ピン８８に関連付けられた単一のバネ８６を含むという点である。これに加えて、各ピンは、その各反対端にヘッド９０及び９１を有し、これらのヘッドは、ピンの端部に取り付けられたリベットヘッドの形態であるか、又はピンをその端部においてスエージ加工することによって形成することができる拡大された部材である。代替的に、バネは、図５ａに示すようにピンに取り付けることができる。ピンヘッド９１は、対応するセグメントに対して半田結合部９３によって半田付けされるか、又は他の方法で接着されるのが好ましい。様々な実施形態におけるセグメントは、平面４６（図４）のような平面内にある円形軸線上に環状アレイとして配置され、ピンは、図４に示すように平面に対して横方向に軸線からオフセットされている。
【００５０】
図９において、指輪９２は、任意的に、とりわけセグメント９４、９６、９８、及び１００で形成されている。これらのセグメントは、同じか又は異なる弓形長さのものとしてもよい。セグメント９８及び１００は、同じであり、セグメント９４及び９６も同じであり、かつセグメント９８及び１００よりも長い。宝石を支持するための更に別のセグメント（図示せず）は、セグメント９８と１００の間に配置することができる。
【００５１】
図１３において、代表的なセグメント９８は、空洞１０２を有する。この空洞１０２は、壁１０８の孔１０６内へピン１０４を挿入することを許す形状を有する。ピン１０４は、バネ１１２を含むアセンブリ１１０の一部である。ピンアセンブリ１１０は、同様な空洞及び壁を有するように構成された次の隣接セグメント１００又は９６（図９）の同様な壁に取り付けられる。セグメントの残りの部分は、中実であるが、中空であってもよく、例えば、中空のチューブ又はこれに類したものとすることができる。
【００５２】
図１０において、指輪１１４は、環状長さが異なる複数のセグメント１１６、１１８、１２０、及び１２２を含む。これらのセグメントの全ては、上記実施形態で示したようなピン及びバネを用いて相互結合される。
【００５３】
図１１において、指輪１２４は、宝石のためのロッドを備えていない複数の同一の単体円錐台形状セグメント１２６を有する。指輪１２４は、図４におけるのと同様に、セグメントの線形アレイとして示されているが、通常は環状アレイとして配置される。この線形アレイは、図解を単純化するために示されている。これらのセグメントは、それらの外面において閉ざされているが、それらの半径方向内面においても閉ざすことができる。これらのセグメントは、同一のピンアセンブリ１２８のピン１３０を受け取る同一の孔を有する。アセンブリ１２８は、一体的な単体ヘッド１３２と、ナット１３６が端部１３４に螺合されるネジ付き端部１３４とを有するピン１３０を含む。バネ１３８は、各ヘッド、各ナット、及び対応するセグメント壁の間で捕捉される。ピン１３０は、指輪１２４の中央平面１４０内に置かれる。
【００５４】
図１２おいては、代替的に、代表的なセグメント１４２は、大部分が均一な厚さの環状壁１４４を有する。壁１４４は、同様な形状寸法の２つの対向した突起１４６及び１４８を有し、これらの位置において壁の厚みを増している。各突起内には、壁１４４を貫通した孔１５０がある。これら２つの孔１５０は、軸線１５２上で整列している。個別のピン１５４のシャフト１５３は、各孔内に密接に受け取られ、これを貫通している。ピン１５４は、各端にあるヘッドにより壁１４４に捕捉され、上記実施形態で示した方式で、少なくともヘッドの一方と対応するセグメントの隣接セグメント壁との間の領域にバネを含む。突起１４８のある壁１４４の厚みを増した部分は、孔内におけるピン１５４の揺れを最小化する働きをし、しかも指輪のセグメントが互いに離れる方向に動いて指輪が拡大する時に、ピンが孔の表面に沿って摺ることを許すものである。バネに関連付けられていないヘッドの一方は、対応するセグメント壁に対して半田付けすることができる。
【００５５】
図１７ａおいては、代替的に、セグメント１９１は、ピンを受け取るために形成された一対の孔１９２及び１９４を有する。ピン１９６は、隣接セグメントの孔を貫通する直線部分１９７と、セグメント１９１のコア内部１９９に置かれた弓形の屈曲部分１９８とを有する。バネ２００は、ピンの弓形屈曲部分に取り付けられる。この方式は、宝石（図示せず）を自由に受け取るためにセグメントの中央中空領域を残すものである。
【００５６】
指輪２（図１）のような得られた宝飾品指輪は、全てのセグメントが当接しているか、又は１ｍｍの何分の１又は１インチの何分の１以内、例えば０．１２５ｍｍ（０．００５インチ）又はこれよりも小さいという近接状態にあるから、セグメント間にいかなる空間もなく当接して見えるという点で人の目には快い。しかも、依然として、指輪の周りでセグメントは、その全体としてそれらの間で互いに弾力的に移動するのに十分な拡大遊びを有し、硬い弾性バンドとして挙動して、指輪が指上に挿入される時にそれが環状に曲がることを可能にする。セグメントの変位量は、比較的小さいので、指上にある指輪は、単体であるかのように連結された一体的に見えるセグメントを備えた中実な単体のように見える。この構成は、異なるサイズの指に使用するための改善された可撓性指輪を提供する。この指輪は、かなり大きく異なるサイズの指に適応するように、異なる内径サイズに製造することができる。すなわち、いくつかの実施形態において、異なる指サイズに適合し、同時にこれを見る人に対して審美的な快い外観を有する可撓性宝飾品指輪が例示的に示された。
【００５７】
上述の実施形態は指輪に関するが、本発明は、宝飾品のピン、ブローチ、ブレスレット、アンクレット、ネックレス、及び装飾のために使用される他のあらゆるタイプの宝飾品物品のような宝飾品物品に対しても使用することができる。
【００５８】
例えば、ブレスレットに関しては、特に宝石又は半宝石で飾られたそのような物品は、頻繁に固定された周方向寸法を有するように作られる傾向があり、そのような狭い寸法範囲内でのみ手首に適合することになる。アンクレットもまた広く人気があり、この宝飾品は足首の周りに取り付けられる。チョーカーと呼ばれるタイプの首の近くを取り囲むネックレスもまた、最大寸法の首を有する人にのみ適合させることができる。そのような物品も、有利な態様においては、可撓性であり、様々な身体寸法に適合して装飾することができるように拡大可能な上述の連結具を有することができる。また、装飾的な宝飾品のピンも、そのような物品における付加的な変形を提供するために、本明細書に説明したような可撓性連結具で柔軟に相互結合された部分を有することができる。
【００５９】
図１８において、ブレスレット２０２は、同一の中空コア（仮想線で示す）を備えた正方形の外周形状を有するセグメント２０４を含む。これらのセグメントは、ピン８８及びバネ８６を含む図７に示すのと同様な可撓性連結具によって相互結合される。図７のセグメントは、図１８に示すように、通常はバネにより隣接して当接した関係に付勢され、図７のセグメント間の間隔は、これらのセグメントを強制的に分離することによって作り出されるということが理解される。図１８において、セグメントは、平坦化された状態で示されているが、使用時には通常は手首の周りに置かれる。セグメント２０４は、剛性又は可撓性とすることができる単一の連続した結合連結要素２０６に結合される。すなわち、ブレスレットは、拡大されて異なるサイズの手首の周りに適合することができる。セグメントは、宝石を受け取るための台を含むことができる。要素２０６は、望ましい可撓性の量に応じてピン毎に１つ又は２つのバネを使用し、上述のようにピンとバネにより相互結合されたセグメントの環状アレイによって置換することができる。言うまでもなく、このブレスレットは、足首に使用するために構成して必要に応じてアンクレットを形成することができる。この目的のために、これに適切なサイズ及び形状のセグメントが準備される。
【００６０】
図１９には、とりわけ、異なるサイズと形状のセグメント２１０、２１２、及び２１４を有するネックレス２０８が示されている。中央ペンダント２１６は、セグメントに取り付けることができる。ネックレスの端部を典型的な構成で取り付けるために、留め金２１８が設けられている。
【００６１】
図２０において、飾りピン又はブローチ２２０は、昆虫の形である。昆虫は、中空コア（図示せず）を有する本体２２２を有する。羽根２２４は、これに半田付けされたピン２３０により本体に取り付けられ、これから外向きに延びる。頭部２２８は、これに半田付けされたピン２３２により本体に取り付けられ、これから延びる。ピン２３０及び２３２は、ピン１９６（図１７ａ）の形状を有し、中空本体２２２の壁２３４内の孔を貫通することができる。バネ２３６は、上述の実施形態に示したように各ピンに取り付けられて捕捉される。このようにして、頭部２２８と羽根２２４は、本体に対して弾力的である。このように本体は、あらゆる望ましい構成とすることができる抽象的形状のセグメントを形成する。
【００６２】
図２２において、ブレスレット又はアンクレット２３８は、複数の長円形セグメント２４０を含む。単一の連結要素２４２が、一連のセグメント２４０の端部に結合されている。要素及びセグメントは、全ての宝飾品級の金属又は非金属である。バネとピン（図示せず）は、他の実施形態で示した方法で、要素２４２を隣接セグメントに相互結合し、セグメントを互いに相互結合する。
【００６３】
更に別の最も好ましい実施形態では、セグメント２６７（図２８）に対応する環状セグメントと、ロッド２６８に対応する取り付けられた宝石台ロッドとを含む単一のセグメントアセンブリのための機械加工されたポジティブマスター金型（図示しないが、図２８のセグメント２６６と実質的に同一である）を作り出すために、ＣＡＤ／ＣＡＭシステム（「コンピュータ支援設計／コンピュータ支援機械」、図示せず）が使用される。ＣＡＤ／ＣＡＭシステムを用いて型を形成することにより、一般的に１個毎にかなり相違しており、従って審美的に快い環状リングを形成しないと考えられる従来の手動で形成された型を使用した場合よりも、型をより精密に、かつ従って同様に形成された他の型と同一に製造することができる。得られる型は、実質的に同一の指輪セグメントを形成するために使用することができ、例えば、図１４及び１５に示すような複数のセグメントから成る成形環状指輪としてセグメントを最初に形成する必要性を回避する。数値制御機械を用いてマスター金型を機械加工することにより、精密成形型は、所定の指輪構成に必要な正確に適合する複数の指輪セグメントアセンブリ（図２８）を形成するために望ましい厳格な公差で製造される。これは、図１４及び１５のセグメント及びロッドアセンブリを製造する方法よりも低コストの改善された方法である。これは、労働集約度が遙かに低いからである。ＣＡＤ／ＣＡＭ手法は、台ロッドをセグメントに成形することを可能にし、付加的な高価で労働集約的工程である図２５から２７に示すような台ロッドを別々に形成して取り付ける必要性を回避する。
【００６４】
図２８において、代表的なモノリシックセグメントアセンブリ２６６として形成された、各環状セグメント２６７に一体化された単体である、複数本のロッド２６８、例えば、好ましくは４本のロッドは、ＣＡＤ／ＣＡＭシステムによって作り出された機械加工されたマスター金型から作成された型で形成される。従って、いくつかのそのようなマスター金型を実質的に同一に形成して、精密に互いに適合する所定の指輪の実質的に同一な複数のセグメントアセンブリを形成することができる。そのようにして形成されたセグメント２６７は、中空の貫通コア２７０を有し、この貫通コアは、ロッド２６８と共に、例えば図５に示すように宝石を受け取る台を形成する。ＣＡＤ／ＣＡＭシステムで形成された型によって作られたアセンブリ２６６は、上述の実施形態に対して最も好ましいものである。後者の以前に説明した実施形態では、ロッドとセグメントは、別々に形成され、次に例えばろう付け又は半田付けすることにより取り付けられるが、これは、比較的速度が遅く、高価であり、面倒な労働集約的工程である。
【００６５】
ＣＡＤ／ＣＡＭシステムは、精密で正確なマスター金型設計システムであり、セグメント及びロッドの型は、例えば、ＣＡＤシステム上で作り出される設計パラメータを利用するコンピュータシステムによって制御された数値制御機械を通じて設計されて機械加工される。セグメントアセンブリのためのこのマスター金型は、例えば、図１４及び１５に示すような環状セグメントアセンブリの環状リングの代わりに、単一のセグメントアセンブリ２６６を形成するために使用される。しかし、以下において説明するように、ＣＡＤ／ＣＡＭシステムによって必要とされる場合には、セグメントの環状アレイ形成する複数のセグメントのそのような単体環状リング及び一体的な単体ロッド型も形成することができる。後者の型の使用に際しては、最終的に成形される貴金属リングのセグメントが最初に分離され、次に、上述のように連結具２７４（図２９）のような弾力的な連結具によって後で接合される。
【００６６】
図１４及び１５に示すセグメントの環状リングは、そのリングの全てのセグメントが１つの環状リング内に完全に嵌合することになることを保証するように考えられている。従来技術の鋳造技術を用いて別々に作られる場合には、セグメントは、成形された個々のセグメントとして別々に形成された場合に、手作業で行われた異なる鋳造の差異により、望ましいリングを形成するのに十分に同一であると考えられるセグメントの正確に均一な組を正確には形成しないと考えられている。手作業で成形された個々のセグメントは、互いに正しく適合せず、同一に適合するセグメントを有する審美的リングを形成することを一層困難にし、望み通りにセグメントを適合させるために余分な労働集約的機械加工工程を必要とすると考えられる。
【００６７】
ＣＡＤ／ＣＡＭシステムを利用する現時点で最も好ましい実施形態では、例えば、焼石膏の型が、複数の精密にＣＡＤ／ＣＡＭ機械加工されたセグメントアセンブリマスター金型の各々から作られる。代替的に、この石膏型は、型製作技術において公知であるように、ゴム又はシリコーンで製造することができる。次に、アセンブリ２６６を表すワックス型が石膏型内で形成される。このワックス型は、最終仕上げ表面を有するワックスセグメントアセンブリを製造するために仕上げられる。更に別の焼石膏（又は他の材料）のネガティブ型が、完成したワックスポジティブ原型リングを用いて作られる。次に、空の中空型コアを備えたネガティブ型が後に残されるロストワックス型工程と呼ばれる工程において、ワックスは、燃焼又は加熱によって除去される。ワックスが除去された時に、後に残った焼石膏型は、微細仕上げされたネガティブ空洞を有し、そこで貴金属合金セグメントアセンブリが鋳造されて、成形モノリシック単体セグメント及びロッドアセンブリ２６６が形成される。
【００６８】
代替的に、マスターツリー型を例えば５から１０のセグメントアセンブリ型又は他の数量のセグメントアセンブリ型を含むように製作することができる。いくつかのセグメントアセンブリ２６６を成形するための微細仕上げされたネガティブ型を形成するために、マスターツリー型は、単一のセグメントアセンブリマスター型を得るために上述のように処理される。
【００６９】
単一のポジティブ金型は、複数の石膏型を製造するために使用され、又は、代替的に、いくつかのそのようなポジティブ金型は、複数の石膏型を製造するために使用される。マスターポジティブ金型は、ＣＡＤ／ＣＡＭシステムを使用して形成され、従って、単一に仕上げられた貴金属指輪台を形成する寸法に製造することのできる複数のセグメント−ロッドアセンブリを正確に形成する。
【００７０】
ＣＡＤ／ＣＡＭシステムによってそのように形成された環状セグメントの全てにロッドを取り付ける必要はないということを理解すべきである。上述のように、ロッドは、宝石のための台として使用される。従って、そのような宝石が取り付けられないセグメントにおいては、ロッドは不要である。それらのセグメントも、ＣＡＤ／ＣＡＭシステムによって形成された型から作られる。宝石台の付かないセグメントと共に宝石台を選択的に使用することにより、上述のような可撓性連結具を使用する様々な異なる指輪構成を提供することができる。セグメント又はセグメント−ロッドアセンブリの単一の機械加工されたマスター型は、ＣＡＤ／ＣＡＭ型形成システムの高い精度のために、指輪を形成する全てのセグメントに対して使用することができる。このシステムは、図１４、１５、及び他の図と関連して示したような指輪を形成する３日の手作業労働を数時間内に完了することができる工程へと低減する。この後者の工程は、手作業の労動集約度がかなり小さく、従って実施コストが低い。
【００７１】
更に別の実施形態では、接合された単体環状セグメントアセンブリのＣＡＤ／ＣＡＭ機械加工された単一の指輪の機械加工マスター型を形成することができる。ロストワックスを使用する上述の工程は、リング型の複数のセグメントの各々に対して繰り返される。貴金属セグメント及び一体的な単体モノリシックロッドは、機械加工された成形リングの各個々のセグメント型から、接合された成形リングとしてではなく別々のユニットとして作られる。しかし、ロッドがリングと共に事前に形成されるから、取り付けられる宝石の数は、予め判断されるべきである。セグメント及びロッドのセグメントアセンブリは、上述のように個々のアセンブリとして形成され、完成指輪を形成するために各々が弾性連結具２７４（図２９）によって互いに取り付けられる。完成指輪２７２（宝石は取り付けられていない）は、個々のセグメントアセンブリが形成されて弾性連結具を用いて接合されている図３０から３２に示されている。弾性連結具２７４は、上述の連結具の実施形態のいずれかを組み込むことができる。
【００７２】
図２３において、ブレスレット又はアンクレット２４４は、バネによって接合された中空セグメント２４６で形成される。これらのセグメントは、更に別の例として、六角形の多角形断面のものである。
【００７３】
すなわち、セグメントのみ又は連結具によって相互結合されたセグメント及び要素を含む宝飾品物品の様々な実施形態が示されたが、この連結具は、少なくとも１つのセグメントの孔を貫通したピンを含み、セグメント、又はセグメント及び要素を互いに向けて弾力的に強く押すためにこの少なくとも１つのセグメントのコア内のピンに捕捉されたバネを含む。得られる宝飾品物品は、あらゆる周囲身体部分の周りに着用するための又はブローチとしての装飾品を形成する。必要に応じて、装飾的な美術工芸品及び／又は宝石又は半宝石を使用することができる。
【００７４】
開示した実施形態は、限定的ではなく例示的な意味で与えられたこと、及びこれらの実施形態に対して様々な他の変更を行うことができることを当業者は想起するであろう。例えば、セグメントと隣接要素は、同じか又は異なる長さのものとすることができる。本発明は、特許請求の範囲によって規定されるものとする。
【図面の簡単な説明】
【００７５】
【図１】本発明の実施形態による指輪の正面図である。
【図２】図１に示す指輪の側面図である。
【図３】図１に示す指輪の一部分の一層詳細な正面断面図である。
【図４】説明のためにセグメントを線形アレイとして配置した図１に示す指輪の一部分の平面断面図である。
【図５】本発明の第２の実施形態による指輪の一部分の側面断面図である。
【図５ａ】バネ及びピンのその実施形態による分解側面図である。
【図５ｂ】更に別の実施形態による指輪セグメント及びピン結合の断面側面図である。
【図６】更に別の実施形態により説明のためにセグメントの線形アレイとして配置した指輪の一部分の断面平面図である。
【図７】図６に示す指輪部分の側面断面図である。
【図８】更に別の実施形態による指輪の正面図である。
【図９】本発明の更に別の実施形態による指輪の一部分の正面図である。
【図１０】本発明の更に別の実施形態による指輪の部分正面図である。
【図１１】本発明の更に別の実施形態により説明のために線形アレイに配置された指輪部分の平面断面図である。
【図１２】本発明の更に別の実施形態による代表的な指輪セグメントの平面断面図である。
【図１３】図９に示す指輪の指輪セグメントの一部分の側面断面図である。
【図１４】図６及び７の実施形態の製造の中間段階における指輪の鋳造段階の側面図である。
【図１５】図１４に示す鋳造段階の上面図である。
【図１６】隣接セグメントから分離した後の図１４及び１５の実施形態のセグメントの１つを部分的に断面で示した等角投影図である。
【図１７】セグメントを宝石受け台に形成するためにセグメントと共に使用されるロッドの等角投影図である。
【図１７ａ】本発明の更に別の実施形態によるセグメントの上面断面図である。
【図１８】宝飾品ブレスレットの上面図である。
【図１９】ネックレスの上面図である。
【図２０】ブローチの上面図である。
【図２１】ブローチの断面立面図である。
【図２２】宝飾品ブレスレットの別の実施形態の上面図である。
【図２３】可撓性相互結合連結具に配置された要素の代替的な実施形態の部分上面図である。
【図２４】図１８に示す実施形態によるブレスレットの一部分の部分等角投影図である。
【図２５】指輪セグメントへの宝石台ロッドの代表的な取付の様々な段階の１つを示す図である。
【図２６】指輪セグメントへの宝石台ロッドの代表的な取付の様々な段階の１つを示す図である。
【図２７】指輪セグメントへの宝石台ロッドの代表的な取付の様々な段階の１つを示す図である。
【図２８】更に別の実施形態による指輪セグメントの斜視図である。
【図２９】次の隣接セグメントへの弾力的連結のために取り付けた連結ピンを有する図２８に示す指輪セグメントの斜視図である。
【図３０】宝石が取り付けられていない状態の図２８及び２９のセグメントを利用した指輪の斜視図である。
【図３１】図３０の指輪の平面図である。
【図３２】図３０の指輪の側面図である。
【符号の説明】
【００７６】
３  宝飾品指輪
２６  ロッド
４７  ピンアセンブリ
４８  ピン
５４  貫通孔
【図１】
2007512920.tif 000003
【図２】
2007512920.tif 000004
【図３】
2007512920.tif 000005
【図４】
2007512920.tif 000006
【図５】
2007512920.tif 000007
【図５ａ】
2007512920.tif 000008
【図５ｂ】
2007512920.tif 000009
【図６】
2007512920.tif 000010
【図７】
2007512920.tif 000011
【図８】
2007512920.tif 000012
【図９】
2007512920.tif 000013
【図１０】
2007512920.tif 000014
【図１１】
2007512920.tif 000015
【図１２】
2007512920.tif 000016
【図１３】
2007512920.tif 000017
【図１４】
2007512920.tif 000018
【図１５】
2007512920.tif 000019
【図１６】
2007512920.tif 000020
【図１７】
2007512920.tif 000021
【図１７ａ】
2007512920.tif 000022
【図１８】
2007512920.tif 000023
【図１９】
2007512920.tif 000024
【図２０】
2007512920.tif 000025
【図２１】
2007512920.tif 000026
【図２２】
2007512920.tif 000027
【図２３】
2007512920.tif 000028
【図２４】
2007512920.tif 000029
【図２５】
2007512920.tif 000030
【図２６】
2007512920.tif 000031
【図２７】
2007512920.tif 000032
【図２８】
2007512920.tif 000033
【図２９】
2007512920.tif 000034
【図３０】
2007512920.tif 000035
【図３１】
2007512920.tif 000036
【図３２】
2007512920.tif 000037
【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
宝飾品物品のための可撓性連結具であって、
宝飾品物品の少なくとも一部を形成するための第１及び第２の隣接する宝飾品セグメント、
を含み、
少なくとも前記第２のセグメントは、環状側壁と、該環状側壁内の中空内部領域を有し、前記側壁は、該内部領域に連通した孔を有し、
前記第１のセグメントに固定されてそこから外向きに延び、前記孔を通過して前記第２のセグメントの前記中空内部領域内に入る第１の細長い部材と、
前記セグメントを互いから離れるように弾力的に移動させながら前記第２のセグメントを前記第１のセグメントに向けて垂直に弾力的に強く押して静止状態にするための、前記第２のセグメントの前記中空領域内で前記細長い部材に固定されたバネと、
を更に含むことを特徴とする連結具。
【請求項２】
前記第２のセグメントは、宝石を受け取るように配置されていることを特徴とする請求項１に記載の連結具。
【請求項３】
前記第２のセグメントは、そこに装飾的印しを受け入れるように配置されていることを特徴とする請求項１に記載の連結具。
【請求項４】
前記第２のセグメントは、前記中空領域内に前記孔が通過する拡大された突起を有することを特徴とする請求項１に記載の連結具。
【請求項５】
前記細長い部材は、前記第２のセグメント及び前記第１のセグメントの互いに対する横方向の揺れを実質的に排除するために前記孔内に密接に受け取られることを特徴とする請求項１に記載の連結具。
【請求項６】
前記細長い部材は、前記孔における軸線を形成し、前記第２のセグメントにおける前記中空領域は、２つの反対方向の少なくとも一方において該軸線に対して横方向に雰囲気に対して開放されていることを特徴とする請求項１に記載の連結具。
【請求項７】
前記第２のセグメントは、宝石受け台として形成されていることを特徴とする請求項１に記載の連結具。
【請求項８】
前記第１のセグメント及び第２のセグメントは、平面内にある円形軸線上の複数のセグメントの環状アレイとして配置され、前記細長い部材は、該平面に対して横方向に該軸線からオフセットされていることを特徴とする請求項１に記載の連結具。
【請求項９】
前記平面の前記第１の細長い部材とは反対の側に前記軸線からオフセットされた第２の細長い部材を含むことを特徴とする請求項８に記載の連結具。
【請求項１０】
前記第１及び第２の細長い部材は、前記環状アレイの周りに延びる方向に交互していることを特徴とする請求項９に記載の連結具。
【請求項１１】
前記細長い部材は、各端部に拡大したヘッドを備えたピンであることを特徴とする請求項１に記載の連結具。
【請求項１２】
前記細長い部材は、一端にヘッド及び他端にナットを備えたネジ付きスタッドであり、該ヘッド及びナットは、前記隣接する第１のセグメント及び第２のセグメントに該部材を捕捉するためのものであることを特徴とする請求項１に記載の連結具。
【請求項１３】
前記第１のセグメント及び第２のセグメントは、同一であることを特徴とする請求項１に記載の連結具。
【請求項１４】
前記細長い部材は、各端部に横孔を有し、該細長い部材を前記中空領域で前記第２のセグメントのうちの１つに捕捉するためのファスナを該横孔に含むことを特徴とする請求項１に記載の連結具。
【請求項１５】
複数の前記第２のセグメント及び平面内で整列した複数の前記第１の細長い部材を含むことを特徴とする請求項１に記載の連結具。
【請求項１６】
前記セグメントの各々は、前記中空内部領域を有するほぼ環状形であることを特徴とする請求項１に記載の連結具。
【請求項１７】
複数の同一セグメントを更に含むことを特徴とする請求項１に記載の連結具。
【請求項１８】
少なくとも１つの細長い更に別のセグメントを含み、
前記中空領域は、前記少なくとも１つの更に別のセグメントの端部において該更に別のセグメントの比較的小さな部分に位置している、
ことを特徴とする請求項１に記載の連結具。
【請求項１９】
前記第１のセグメント及び前記第２のセグメントの互いに対する横方向の揺れを最小にする構成を含むことを特徴とする請求項１に記載の連結具。
【請求項２０】
前記バネは、該バネを前記細長い部材に捕捉するために前記ピンの孔に挿入された端部部分を有することを特徴とする請求項１に記載の連結具。
【請求項２１】
前記細長い部材は、前記第１のセグメントに固定されたピンであり、前記第２のセグメントに対して移動可能であることを特徴とする請求項１に記載の連結具。
【請求項２２】
前記第１のセグメント及び前第２の記セグメントの各々は、孔及び中空領域を有し、次の隣接する第１のセグメント及び第２のセグメントの該孔は、互いに整列して互いに隣接しており、前記第１の細長い部材は、該整列した隣接する孔を通過して該中空領域内に入ることを特徴とする請求項１に記載の連結具。
【請求項２３】
前記物品は、指輪、ブレスレット、アンクレット、ネックレス、及びブローチのうちのいずれか１つであることを特徴とする請求項１に記載の連結具。
【請求項２４】
前記セグメントの環状アレイを更に含むことを特徴とする請求項１に記載の連結具。
【請求項２５】
各反対側に孔を有する環状側壁によって形成された中空内部領域を各々有する複数の宝飾品セグメントのアレイと、
２つの隣接するセグメントの各々の前記孔において、隣接する各セグメントの前記中空内部領域内に延びて前記内部領域内のピン端部で終端する、縦軸線を有するピンとして形成される細長い部材と、
前記２つの隣接するセグメントを前記ピンの前記縦軸線に沿って互いに向けて強く押すための、前記２つの隣接するセグメントのうちの第１のものの少なくとも内部領域における前記ピン上のバネと、
前記ピンの第１の端部において前記バネを前記第１のセグメントの内部領域内で前記ピンに捕捉し、前記ピンの第２の端部において該ピンを前記２つの隣接するセグメントの他方に固定するための構成と、
を含むことを特徴とする宝飾品物品。
【請求項２６】
前記セグメントは、平面を形成し、前記反対側上の前記孔は、該平面に対して横方向に互いに対してオフセットされていることを特徴とする請求項２５に記載の物品。
【請求項２７】
前記２つの隣接するセグメントの各々の前記内部領域における前記ピン上のバネを含むことを特徴とする請求項２５に記載の物品。
【請求項２８】
同じか又は異なる長さの前記セグメントが該長さを有する方向に延びていることを特徴とする請求項２５に記載の物品。
【請求項２９】
前記ピンは、弓形の屈曲部を有することを特徴とする請求項２５に記載の物品。
【請求項３０】
前記ピンは、長さとその長さに沿う一様な断面とを有することを特徴とする請求項２５に記載の物品。
【請求項３１】
前記ピン及び孔は、前記セグメントの互いに対する横方向の揺れを最小にするように配置されていることを特徴とする請求項２５に記載の物品。
【請求項３２】
前記セグメントは、環状であることを特徴とする請求項２５に記載の物品。
【請求項３３】
前記セグメントは、実質的に同一であることを特徴とする請求項２５に記載の物品。
【請求項３４】
ネックレス、ブレスレット、アンクレット、指輪、及びブローチのうちのいずれか１つであることを特徴とする請求項２５に記載の物品。
【請求項３５】
請求項２５ないし請求項３４のいずれか１項に記載の宝飾品物品を製造する方法であって、
ウェブ領域で互いに当接して単体の剛性一体ユニットを形成する複数の隣接するセグメントを形成する段階と、
前記セグメントを分離する段階と、
次に前記別々のセグメントを互いに隣接して弾力的に取付けて、それらを宝飾品物品に形成する段階と、
を含むことを特徴とする方法。
【請求項３６】
前記隣接するセグメントを形成する段階は、前記複数のセグメントを鋳造する段階を含むことを特徴とする請求項３５に記載の方法。
【請求項３７】
前記鋳造する段階は、宝飾品金属組成物の前記単体一体ユニットを鋳造する段階を含むことを特徴とする請求項３５に記載の方法。
【請求項３８】
前記セグメントのうちの少なくとも１つと共に複数のロッドを形成して、該少なくとも１つのセグメントと共に宝石台を形成する段階を含むことを特徴とする請求項３５に記載の方法。
【請求項３９】
前記セグメントのうちの少なくとも１つは、中空内部領域を有することを特徴とする請求項３５に記載の方法。
【請求項４０】
前記セグメントの大多数は、中空内部領域を有することを特徴とする請求項３５に記載の方法。
【請求項４１】
前記セグメントは、同一であり、各々が中空内部領域を有することを特徴とする請求項３５に記載の方法。
【請求項４２】
請求項１ないし請求項２４のいずれか１項に記載の可撓性連結具を有する宝飾品物品を製造する方法であって、
ＣＡＤ／ＣＡＭ金型形成工程を使用して、セグメントの少なくとも１つが一体的なモノリシック宝石台ロッドを備えた成形単体中空内部領域部材である複数のセグメントを形成する段階と、
各セグメントが更に別のセグメントに隣接して宝飾品物品を形成するように前記複数のセグメントを互いに弾力的に固定する段階と、
を含むことを特徴とする方法。
【請求項４３】
前記ＣＡＤ／ＣＡＭ型形成工程は、ＣＡＤ／ＣＡＭ機械加工されたポジティブ型からネガティブ型を準備する段階と、該ネガティブ型にワックスを充填する段階と、該ワックスを除去する段階と、該ネガティブ型のポジティブワックス複製品を成形する段階と、該ポジティブワックス複製品を用いて完成型を形成し、次に該完成型から貴金属指輪セグメントアセンブリを形成する段階とを含み、
前記セグメントアセンブリは、単体成形のモノリシックに取付けられた宝石台ロッドを備えたセグメントを含む、
ことを特徴とする請求項４２に記載の方法。
【国際調査報告】
2007512920.tif 000038
2007512920.tif 000039
2007512920.tif 000040
2007512920.tif 000041